(57)【特許請求の範囲】
【請求項１】
１つのフレームをデータブロックに分割して１本以上のレーンを用いて送信装置から受信装置へ伝送するマルチレーン伝送システムであって、
前記送信装置は、
フレームの先頭を特定可能な同期パターンを検出し、前記同期パターンで特定されるフレームに含まれるデータブロックのうちの前記同期パターンが含まれている先頭データブロックの後に各レーンに到着したデータブロックのエラー検出用符号をレーンごとに計算するエラー検出用符号算出機能部と、
各レーンのエラー検出用符号を、エラー検出用符号を計算したデータブロックとは異なるフレームの予め定められたフィールドに挿入するエラー検出用符号挿入機能部と、を備え、
前記受信装置は、
前記同期パターンを検出し、前記同期パターンと同じフレームに含まれるデータブロックのうちの先頭データブロックの後に各レーンに到着したデータブロックのエラー検出用符号をレーンごとに計算し、当該計算の結果及び前記予め定められたフィールドから読み出したエラー検出用符号を用いて各レーンのエラーを監視するエラー監視機能部を備える、
マルチレーン伝送システム。
【請求項２】
１つのフレームをデータブロックに分割して１本以上のレーンを用いて送信装置から受信装置へ伝送するマルチレーン伝送システムにおける個別レーン監視方法であって、
前記送信装置が、フレームの先頭を特定可能な同期パターンを検出すると、前記同期パターンで特定されるフレームに含まれるデータブロックのうちの前記同期パターンが含まれている先頭データブロックの後に各レーンに到着したデータブロックのエラー検出用符号を計算するとともに、各レーンのエラー検出用符号をエラー検出用符号を計算したデータブロックとは異なるフレームの予め定められたフィールドに挿入するエラー検出用符号挿入手順と、
前記受信装置が、前記同期パターンを検出すると、前記同期パターンと同じフレームに含まれるデータブロックのうちの先頭データブロックの後に各レーンに到着したデータブロックのエラー検出用符号をレーンごとに計算し、当該計算の結果及び前記予め定められたフィールドから読み出したエラー検出用符号を用いて各レーンのエラーを監視するエラー監視手順と、
を有する個別レーン監視方法。
【発明の詳細な説明】
【技術分野】
【０００１】
本発明は、フレーム形式の信号をデータブロックに分割して１本以上のレーンに分配して伝送するマルチレーン伝送システムにおける個別レーン監視方法に関する。
【背景技術】
【０００２】
現在、広域光転送網として非特許文献１に記載されたＯＴＮ（Ｏｐｔｉｃａｌ  Ｔｒａｎｓｐｏｒｔ  Ｎｅｔｗｏｒｋ）が広く用いられている。ＯＴＮフレームは図１に示す構造を有している。フレームは４行×４０８０列で表記され、フレームの１〜４０８０バイト目は１行目の１〜４０８０列目、４０８１〜８１６０バイト目は２行目の１〜４０８０列目、８１６１〜１２２４０バイト目は３行目の１〜４０８０列目、１２２４１〜１６３２０バイト目は４行目の１〜４０８０列目となる。クライアント信号は、フレームの１７〜３８２４列目のＯＰＵ（Ｏｐｔｉｃａｌ  ｃｈａｎｎｅｌ  Ｐａｙｌｏａｄ  Ｕｎｉｔ）ＰＬＤ（Ｐａｙｌｏａｄ）にマッピングされる。１５〜１６列目にはＯＰＵ  ＯＨ（ＯｖｅｒＨｅａｄ）が挿入され、クライアント信号のマッピング／デマッピングに必要な情報などが収容される。２〜４行目の１〜１４列目にはＯＤＵ（Ｏｐｔｉｃａｌ  ｃｈａｎｎｅｌ  Ｄａｔａ  Ｕｎｉｔ）ＯＨが挿入され、光チャネルのパス管理運用情報を収容する。１行目の１〜７列目にはフレーム同期に必要なＦＡＳ（Ｆｒａｍｅ  Ａｌｉｇｎｍｅｎｔ  Ｓｉｇｎａｌ）およびマルチフレーム中における位置を示すＭＦＡＳ（Ｍｕｌｔｉｆｒａｍｅ  Ａｌｉｇｎｍｅｎｔ  Ｓｉｇｎａｌ）から成るＦＡ（Ｆｒａｍｅ  Ａｌｉｇｎｍｅｎｔ）ＯＨが、８〜１４列目には光チャネルのセクション監視情報を収容するＯＴＵ（Ｏｐｔｉｃａｌ  ｃｈａｎｎｅｌ  Ｔｒａｎｓｐｏｒｔ  Ｕｎｉｔ）ＯＨが挿入される。３８２５〜４０８０列目にはＦＥＣ（Ｆｏｒｗａｒｄ  Ｅｒｒｏｒ  Ｃｏｒｒｅｃｔｉｏｎ）用のパリティチェックバイトが付加される。
【０００３】
ＦＡ  ＯＨの１〜５バイトにはＯＡ１及びＯＡ２からなるＦＡＳが配置され、ＦＡ  ＯＨの６バイト目にはＬＬＭが配置され、ＦＡ  ＯＨの７バイト目にはＭＦＡＳが配置される。ここで、ＯＡ１は０ｂ１１１１０１１０であり、ＯＡ２は０ｂ００１０１０００である。
【０００４】
ＯＴＮでは伝送品質管理のために、ＯＴＵ  ＯＨおよびＯＤＵ  ＯＨの中にそれぞれＳＭ（Ｓｅｃｔｉｏｎ  Ｍｏｎｉｔｏｒｉｎｇ）ＯＨおよびＰＭ（Ｐａｔｈ  Ｍｏｎｉｔｏｒｉｎｇ）ＯＨが定義されている。
【０００５】
図２に示すように、ＳＭ  ＯＨは１行目の８〜１０列目に配置される（例えば、非特許文献１：１５．７．２．１参照。）。
ＴＴＩ（Ｔｒａｉｌ  Ｔｒａｃｅ  Ｉｄｅｎｔｉｆｉｅｒ）：ＳＭ  ＯＨの１バイト目に配置されるサブフィールドである。セクション監視の始点を示すＳＡＰＩ（Ｓｏｕｒｃｅ  Ａｃｃｅｓｓ  Ｐｏｉｎｔ  Ｉｄｅｎｔｉｆｉｅｒ）と終点を示すＤＡＰＩ（Ｄｅｓｔｉｎａｔｉｏｎ  Ａｃｃｅｓｓ  Ｐｏｉｎｔ  Ｉｄｅｎｔｉｆｉｅｒ）を含む（例えば、非特許文献１：１５．２および１５．７．２．１．１参照。）。
ＢＩＰ−８（Ｂｉｔ  Ｉｎｔｅｒｌｅａｖｅｄ  Ｐａｒｉｔｙ−８）：ＳＭ  ＯＨの２バイト目に配置されるサブフィールドである。図３に示すように、送信側において２フレーム前のＯＰＵのデータをインタリーブして８ビットのパリティ（ＢＩＰ−８）を計算し、ＳＭ  ＯＨのＢＩＰ−８サブフィールドに挿入する。受信側でＯＰＵのデータからＢＩＰ−８を計算した値と、ＳＭ  ＯＨのＢＩＰ−８サブフィールドで送られたＢＩＰ−８の値を比較し、セクション監視区間において生じたエラーを検出する（例えば、非特許文献１：１５．７．２．１．２参照。）。
【０００６】
図４に示すように、ＰＭ  ＯＨは３行目の１０〜１２列目に配置される（例えば、非特許文献１：１５．８．２．１参照。）。
ＴＴＩ：ＰＭ  ＯＨの１バイト目に配置されるサブフィールドである。パス監視の始点を示すＳＡＰＩと終点を示すＤＡＰＩを含む（例えば、非特許文献１：１５．２および１５．８．２．１．１参照。）。
ＢＩＰ−８：ＰＭ  ＯＨの２バイト目に配置されるサブフィールドである。図５に示すように、送信側において２フレーム前のＯＰＵのデータをインタリーブして８ビットのパリティ（ＢＩＰ−８）を計算し、ＰＭ  ＯＨのＢＩＰ−８サブフィールドに挿入する。受信側でＯＰＵのデータからＢＩＰ−８を計算した値と、ＰＭ  ＯＨのＢＩＰ−８サブフィールドで送られたＢＩＰ−８の値を比較し、パス監視区間において生じたエラーを検出する（例えば、非特許文献１：１５．８．２．１．２参照。）。
【０００７】
以上のように、ＯＴＮではＳＭ  ＯＨおよびＰＭ  ＯＨ中のＢＩＰ−８を用いてセクション監視区間およびパス監視区間において生じたエラー数を計数することができる。
【先行技術文献】
【特許文献】
【０００８】
【特許文献１】特開２０１１−２２３４５４号公報
【非特許文献】
【０００９】
【非特許文献１】”Ｉｎｔｅｒｆａｃｅｓ  ｆｏｒ  ｔｈｅ  Ｏｐｔｉｃａｌ  Ｔｒａｎｓｐｏｒｔ  Ｎｅｔｗｏｒｋ  （ＯＴＮ）”，  ＩＴＵ−Ｔ  Ｇ．７０９，  ２００９
【発明の概要】
【発明が解決しようとする課題】
【００１０】
高速の光伝送を経済的に実現する方式として、４０Ｇｂｐｓまたは１００ＧｂｐｓのＯＴＵフレームのデータをマルチレーンに分配してパラレル伝送を行うＯＴＮ−ＭＬＤ（Ｍｕｌｔｉｌａｎｅ  Ｄｉｓｔｒｉｂｕｔｉｏｎ）が標準化されている（例えば、非特許文献１：Ａｎｎｅｘ  Ｃ参照。）。また、ＯＴＮ−ＭＬＤを拡張した、マルチレーン光伝送方式も提案されている（例えば、特許文献１参照。）。
【００１１】
ＯＴＮ−ＭＬＤを使った場合でも、ＳＭ  ＯＨおよびＰＭ  ＯＨにおけるＢＩＰ−８を用いてセクション監視区間およびパス監視区間における伝送品質を算出することができる。しかし、ＯＴＮ−ＭＬＤを用いる場合は、例えば特定の光送信部におけるレーザや変調器の性能が劣化するようなケースが想定される。光信号断に至らない程度に伝送品質が劣化したレーンを特定するためには、レーン毎にビットエラー率などを求めることが不可欠であるが、現在のＯＴＮ−ＭＬＤにはそのような手段は存在しない。
【００１２】
本発明は、レーン毎の品質を監視することを目的とする。
【課題を解決するための手段】
【００１３】
本願発明のマルチレーン伝送システムは、
１つのフレームをデータブロックに分割して１本以上のレーンを用いて送信装置から受信装置へ伝送するマルチレーン伝送システムであって、
前記送信装置は、
フレームの先頭を特定可能な同期パターンを検出し、前記同期パターンで特定されるフレームに含まれるデータブロックのうちの前記同期パターンが含まれている先頭データブロックの後に各レーンに到着したデータブロックのエラー検出用符号をレーンごとに計算するエラー検出用符号算出機能部と、
各レーンのエラー検出用符号を、エラー検出用符号を計算したデータブロックとは異なるフレームの予め定められたフィールドに挿入するエラー検出用符号挿入機能部と、を備え、
前記受信装置は、
前記同期パターンを検出し、前記同期パターンと同じフレームに含まれるデータブロックのうちの先頭データブロックの後に各レーンに到着したデータブロックのエラー検出用符号をレーンごとに計算し、当該計算の結果及び前記予め定められたフィールドから読み出したエラー検出用符号を用いて各レーンのエラーを監視するエラー監視機能部を備える。
【００１４】
本願発明のマルチレーン伝送システムにおける個別レーン監視方法は、
１つのフレームをデータブロックに分割して１本以上のレーンを用いて送信装置から受信装置へ伝送するマルチレーン伝送システムにおける個別レーン監視方法であって、
前記送信装置が、フレームの先頭を特定可能な同期パターンを検出すると、前記同期パターンで特定されるフレームに含まれるデータブロックのうちの前記同期パターンが含まれている先頭データブロックの後に各レーンに到着したデータブロックのエラー検出用符号を計算するとともに、各レーンのエラー検出用符号をエラー検出用符号を計算したデータブロックとは異なるフレームの予め定められたフィールドに挿入するエラー検出用符号挿入手順と、
前記受信装置が、前記同期パターンを検出すると、前記同期パターンと同じフレームに含まれるデータブロックのうちの先頭データブロックの後に各レーンに到着したデータブロックのエラー検出用符号をレーンごとに計算し、当該計算の結果及び前記予め定められたフィールドから読み出したエラー検出用符号を用いて各レーンのエラーを監視するエラー監視手順と、
を有する。
【発明の効果】
【００１５】
本発明によれば、レーン毎の品質監視が出来るので、特定のレーンの伝送品質だけが劣化した場合、予備レーンや優先度の低いサービスに使用しているレーンがあるならば、そのレーンを使用することが可能となる。また、伝送品質の劣化したレーンを除外して残りの正常レーンで縮退動作させることも可能となる。
【図面の簡単な説明】
【００１６】
【図１】ＯＴＮのフレーム構造を示す図である。
【図２】セクション監視区間の品質監視を行うＳＭ  ＯＨとＢＩＰ−８の位置を示す図である。
【図３】ＳＭ  ＯＨにおけるＢＩＰ−８の算出および挿入を示す図である。
【図４】パス監視区間の品質監視を行うＰＭ  ＯＨとＢＩＰ−８の位置を示す図である。
【図５】ＰＭ  ＯＨにおけるＢＩＰ−８の算出および挿入を示す図である。
【図６】ＬＭ  ＯＨの位置を示す図である。
【図７】送信側におけるＣＲＣ−８の算出・挿入と、受信側におけるエラー検出を示す図である。
【図８】本発明を用いたマルチレーン伝送システム装置における送信装置の構成例を示す図である。
【図９】レーン分配部５の構成を示す図である。
【図１０】本発明を用いたマルチレーン伝送システム装置における受信装置の構成例を示す図である。
【図１１】ＯＨ解読部１１の構成を示す図である。
【図１２】デスクランブル部２２の動作の一例を示す図である。
【発明を実施するための形態】
【００１７】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１８】
本実施形態のマルチレーン伝送システムにおける個別レーン監視方法は、フレーム形式の信号をデータブロックに分割して複数のレーンに分配して伝送するマルチレーン伝送における個別レーンのエラー数監視に関するものであり、特に、ＯＴＵフレーム１行目１３列目及び１４列目のＯＴＵ  ＯＨの予備領域又はＯＴＵフレーム１行目５列目のＦＡ  ＯＨにおけＦＡＳの一部をＬＭ（Ｌａｎｅ  Ｍｏｎｉｔｏｒｉｎｇ）ＯＨと定義し、レーンにおけるエラー検出用符号として前周期分のＣＲＣ−８を挿入して個別レーンのエラー数を監視する。
【００１９】
図６に、ＬＭ  ＯＨの位置を示す。ＯＴＵフレームの１行目の１３列目および１４列目のバイトはＯＴＵ  ＯＨにおける予備領域である。この一方もしくは両方をレーン監視用のＬＭ（Ｌａｎｅ  Ｍｏｎｉｔｏｒｉｎｇ）ＯＨと定義し、レーンにおけるエラー検出用符号を挿入する。あるいは、ＯＴＵフレームの１行目の１列目のバイトはＦＡ  ＯＨにおけるＦＡＳの１バイト目であるが、これをＬＭ  ＯＨと定義し、レーンにおけるエラー検出用符号を挿入する。以後、ＯＴＵフレームの１行目の１４列目をＬＭ  ＯＨとする例で説明するが、ＬＭ  ＯＨの位置が異なっても動作は同様である。
【００２０】
図７に示すように、送信装置側の各レーンでＦＡＳが検出されると、それを起点としてフレームの先頭から１４バイト目のＬＭ  ＯＨに前周期分のＣＲＣ−８（Ｃｙｃｌｉｃ  Ｒｅｄｕｎｄａｎｃｙ  Ｃｈｅｃｋ  ８）の計算結果を挿入する。ＬＭ  ＯＨの次の１５バイト目から次の周期のＣＲＣ−８の計算が開始され、次のＦＡＳの直前のバイトで終了する。ＣＲＣ−８の計算を行うための生成多項式をＧ（ｚ）とし、送信データの情報多項式をＤ（ｚ）とすると、ＣＲＣ−８符号の情報多項式は
Ｒ（ｚ）＝Ｄ（ｚ）  ｍｏｄ  Ｇ（ｚ）    〔１〕
で与えられる。こうして得られたＣＲＣ−８符号を次のフレーム先頭から１４バイト目のＬＭ  ＯＨに挿入する。
【００２１】
受信装置側の各レーンでＦＡＳが検出されると、それを起点としてフレームの先頭から１４バイト目のＬＭ  ＯＨから前回のＣＲＣ−８符号を読み出し、前回のＬＭ  ＯＨの次の１５バイト目からＦＡＳの直前のバイトまでの受信データに対するエラー検査を行う。即ち、受信データに対する情報多項式をＤ’（ｚ）、受信したＣＲＣ−８符号に対する情報多項式をＲ’（ｚ）として、
Ｃ（ｚ）＝｛ｚ８Ｄ’（ｚ）＋Ｒ’（ｚ）｝  ｍｏｄ  Ｇ（ｚ）      〔２〕
を計算する。
【００２２】
エラーが無ければ、Ｄ’（ｚ）＝Ｄ（ｚ）、Ｒ’（ｚ）＝Ｒ（ｚ）なので、
Ｃ（ｚ）＝０
ならば、エラーは無いと高い確率で推定できる。一方、
Ｃ（ｚ）≠０
ならば、そのレーンにおいて伝送中にエラーが発生したと判定する。
【００２３】
本発明のマルチレーン伝送における個別レーン監視方式を用いたマルチレーン伝送システムにおける送信装置の構成を図８に示す。本実施形態の送信装置は、マッピング部１と、ＯＨ処理部２と、ＦＥＣ符号化部３と、スクランブル部４と、レーン分配部５と、を備える。送信装置は、レーン分配部５がエラー検出用符号算出機能部として動作し、ＯＨ処理部２がエラー検出用符号挿入機能部として動作することによってエラー検出用符号挿入手順を実行する。
【００２４】
マッピング部１は、クライアント信号をＯＰＵ  ＰＬＤにマッピングする。
ＯＨ処理部２は、ＯＰＵフレームにオーバヘッドを付加する。オーバヘッドは、例えば、ＦＡ  ＯＨ、ＯＴＵ  ＯＨ、ＬＭ  ＯＨ及びＯＤＵ  ＯＨである。ここで、ＦＡ  ＯＨの６バイト目にはＬＬＭ（Ｌｏｇｉｃａｌ  Ｌａｎｅ  Ｍａｒｋｅｒ）が含まれるものとする。Ｍをレーン数、Ｎを１以上の整数とする時、ＬＬＭは０〜Ｎ＊Ｍ−１までの値をとる。ここで、Ｎ＊ＭはＭの倍数の中で、２５６以下でとり得る最大値である。
【００２５】
ここで、ＬＬＭはＶＬＭであってもよく、本願では区別していない。
【００２６】
ここで、ＯＨ処理部２は、エラー検出用符号挿入機能部として動作し、各レーンにおけるＦＡＳを検出し、当該ＦＡＳを含むデータブロック以前のデータに対してレーン分配部５が計算したエラー検出用符号を、ＬＭ  ＯＨに挿入する。例えば、ＬＭ  ＯＨにはＣＲＣ−８符号が挿入される。
【００２７】
ＦＥＣ符号化部３は、ＯＰＵフレームにオーバヘッドを付加した４行×３８２４列のフレームに対してＦＥＣ符号化を行う。
スクランブル部４は、ＦＥＣ符号化された４行×４０８０列のＯＴＵフレームのＦＡＳ以外の全領域をスクランブルする。
【００２８】
レーン分配部５の構成を図９に示す。レーン分配部５は、データブロック分割部６と、レーン番号決定部７と、ＣＲＣ−８計算部８−１〜８−Ｍと、を備える。ＣＲＣ−８計算部８−１〜８−Ｍは、エラー検出用符号算出機能部として動作し、各レーンにおける同期パターンを検出し、当該同期パターンを含むデータブロックの後に到着したデータブロック以降のデータに対してエラー検出用符号を計算する。
【００２９】
データブロック分割部６はスクランブルされたＯＴＵフレームを１６バイトデータブロックに分割し、Ｍ本のレーンに分配する。
レーン番号決定部７はデータブロックを出力するレーン番号を決定する。ＦＡＳを含む先頭データブロックを出力するレーン番号ｍ（ｍ＝１〜Ｍ）は
ＬＬＭ  ｍｏｄ  Ｍ＝１→ｍ＝１
ＬＬＭ  ｍｏｄ  Ｍ＝２→ｍ＝２
……
ＬＬＭ  ｍｏｄ  Ｍ＝０→ｍ＝Ｍ
で決定される。以後のデータブロックを出力するレーン番号はラウンドロビンで決定される。
【００３０】
ＣＲＣ−８計算部８−１〜８−Ｍは、同期パターンとしてのＦＡＳを検出してフレームの先頭から１５バイト目のデータから次のＦＡＳの直前のデータまで、式〔１〕に従ってＣＲＣ−８符号を計算する。ＯＨ処理部２は、エラー検出用符号挿入機能部として機能し、ＣＲＣ−８計算部８−１〜８−Ｍの計算結果を、予め定められたフィールドであるＬＭ  ＯＨに挿入する。
【００３１】
マルチレーン伝送システムにおける受信装置の構成を図１０に示す。受信装置は、ＯＨ解読部１１と、レーン識別＆遅延差補償部１２と、ＯＴＵフレーム再構成部１３と、デスクランブル部１４と、ＦＥＣ復号部１５と、ＯＨ処理部１６と、デマッピング部１７と、品質監視部１８と、を備える。
【００３２】
ＯＨ解読部１１の構成を図１１に示す。ＯＨ解読部１１は、ＦＡＳ検出部２０、ＦＡＳ周期監視部２１、デスクランブル部２２及びエラー検出部２３を備える。ＯＨ解読部１１は、エラー監視機能部として動作し、ＦＡＳを含むデータブロックの後に到着したデータブロック以降のデータに対してエラー検出用符号を計算し、当該計算結果及びＬＭ  ＯＨから読み出したエラー検出用符号を用いて各レーンのエラーを検出する。
【００３３】
ＦＡＳ検出部２０は、ＦＡＳの同期パターンを検出すると同期パルスを出力する。また、ＦＡＳを含むデータブロックを取り出す。
ＦＡＳ周期監視部２１は、レーン毎にＦＡＳの出現周期を監視し、周期性に異常があった場合はフレーム同期外れとしてレジスタに記録する。
デスクランブル部２２は、ＦＡＳを含むデータブロックを図１２のようにデスクランブルして、ＬＬＭおよびＬＭ  ＯＨのＣＲＣ−８符号を出力する。本実施形態では、ＬＭ  ＯＨが予め定められたフィールドであり、エラー検出用符号がＣＲＣ−８符号である。
エラー検出部２３は、受信信号とＣＲＣ−８符号に基づいて式〔２〕を計算してエラー検出を行い、レーン毎のエラー発生数をレジスタに記録する。そして、エラーの検出結果を品質管理部１８へ出力する。
【００３４】
レーン識別＆遅延差補償部１２は、（ＬＬＭ  ｍｏｄ  Ｍ）を計算してレーン番号を識別し、ＦＡＳの位置およびＭＦＡＳあるいはＬＬＭの値に基づいて遅延差補償を行う。
ＯＴＵフレーム再構成部１３は、レーン識別＆遅延差補償された信号の１６バイトデータブロックを順番に統合して、４行×４０８０列のＯＴＵフレームの形に再構成する。
デスクランブル部１４は、再構成されたＯＴＵフレームのＦＡＳ以外の全領域をデスクランブルする。
ＦＥＣ復号部１５は、デスクランブルされたＯＴＵフレームに対しエラー訂正を行う。
ＯＨ処理部１６は、エラー訂正された４行×３８２４列のフレームからＦＡ  ＯＨ、ＯＴＵ  ＯＨ、ＬＭ  ＯＨ及びＯＤＵ  ＯＨ等のオーバヘッドを除いたＯＰＵフレームを出力する。また、ＳＭ  ＯＨ／ＰＭ  ＯＨのＢＩＰ−８サブフィールド値とＯＰＵから算出したＢＩＰ−８値を比較し、セクション／パス監視区間で生じたエラーを計数してレジスタに記録する。
デマッピング部１７は、ＯＰＵ  ＯＨの情報に基づいてＯＰＵ  ＰＬＤからクライアント信号をデマッピングして出力する。
品質監視部１８は、各機能ブロック（ＯＨ解読部１１、レーン識別＆遅延差補償部１２、ＯＴＵ／ＯＤＵ  ＯＨ処理部１６など）のレジスタを読み出し、品質監視を行う。
【００３５】
なお、本実施形態ではエラー検出用符号としてＣＲＣ−８を挙げたが、予め定められたフィールドであるＬＭ  ＯＨをＯＴＵフレームの１行目の１３列目および１４列目の２バイトに割り当て、ＣＲＣ−１６を用いる構成も可能である。また、ＣＲＣ以外のエラー検出用符号（ＢＩＰなど）を用いる構成も可能である。
【産業上の利用可能性】
【００３６】
本発明は情報通信産業に適用することができる。
【符号の説明】
【００３７】
１：マッピング部
２：ＯＨ処理部
３：ＦＥＣ符号化部
４：スクランブル部
５：レーン分配部
６：データブロック分割部
７：レーン番号計算部
８−１〜８−Ｍ：ＣＲＣ−８計算部
１１：ＯＨ解読部
１２：レーン識別＆遅延差補償部
１３：ＯＴＵフレーム再構成部
１４：デスクランブル部
１５：ＦＥＣ復号部
１６：ＯＨ処理部
１７：デマッピング部
１８：品質監視部
２０：ＦＡＳ検出部
２１：ＦＡＳ周期監視部
２２：デスクランブル部
２３：エラー検出部
【図１】
0005970058.tif 000002
【図２】
0005970058.tif 000003
【図３】
0005970058.tif 000004
【図４】
0005970058.tif 000005
【図５】
0005970058.tif 000006
【図６】
0005970058.tif 000007
【図７】
0005970058.tif 000008
【図８】
0005970058.tif 000009
【図９】
0005970058.tif 000010
【図１０】
0005970058.tif 000011
【図１１】
0005970058.tif 000012
【図１２】
0005970058.tif 000013